(57)【要約】  家具（１０）のための可動な家具延出構造体（１１）であって、後壁（４）と前方パネル（３）との間に配置された側壁（４）と、側壁（４）と前方パネル（３）との間に配置されたレールバー（１）とを含んでおり、レールバー（１）は側壁（４）の下方に配置されている。【選択図】図３
2013518628.tif 000002
【特許請求の範囲】
【請求項１】
家具（１０）のための可動な家具延出構造体（１１）であって、後壁（２）と前方パネル（３）との間に配置された側壁（４）と、該後壁（２）と前記前方パネル（３）との間に配置されたレールバー（１）とを含んでおり、該レールバー（１）が前記側壁（４）の下方に配置されていることを特徴とする家具延出構造体。
【請求項２】
前記レールバー（１）は調節装置（５）を有しており、該調節装置（５）によって前記前方パネル（３）は傾斜できることを特徴とする請求項１記載の家具延出構造体。
【請求項３】
前記調節装置（５）は前記レールバー（１）の有効長を変更するように構成されており、該レールバー（１）は一方が前記前方パネル（３）の内側の前部で支持され、他方が前記後壁（２）の後部で支持されていることを特徴とする請求項２記載の家具延出構造体。
【請求項４】
前記家具（１０）は本家具延出構造体（１１）の移動のためのレールシステム（１２）を有しており、前記側壁（４）は、該レールシステム（１２）の上方の少なくとも一部に、好適には略全面的に配置されていることを特徴とする請求項１から３のいずれかに記載の家具延出構造体。
【請求項５】
前記レールバーは前記レールシステム（１２）の下方に配置されていることを特徴とする請求項４記載の家具延出構造体。
【請求項６】
本家具延出構造体（１１）は、好適にはごみ分別用の保管システム（１３）のための受領装置（６）を有しており、好適には枠形状である該受領装置（６）は、少なくとも部分的に、好適には略全面的に本家具延出装置（１１）の２つの側壁（４、４’）の上方、及び／又は少なくとも部分的にそれら側壁（４、４’）の間に配置されていることを特徴とする請求項１から５のいずれかに記載の家具延出構造体。
【請求項７】
本家具延出構造体（１１）はごみ分別用の保管システム（１３）を有しており、該保管システム（１３）は前記受領装置（６）に、好適には工具を利用せずに解放可能に固定できることを特徴とする請求項６記載の家具延出構造体。
【請求項８】
前記保管システム（１３）は前記受領装置（６）内に懸吊状態で設置されており、本家具延出構造体（１１）が引き出されたときには、保管容器（１４）は前記受領装置（６）から略垂直方向に引き抜き可能となることを特徴とする請求項６または７記載の家具延出構造体。
【請求項９】
本家具延出構造体（１１）の前記後壁（２）は、本家具延出構造体の後端から離れて配置されていることを特徴とする請求項１から８のいずれかに記載の家具延出構造体。
【請求項１０】
本家具延出構造体（１１）の前記後壁（２）は、本家具延出構造体（１１）の後端から、好適には前記レールシステム（１２）の引出しレール（１６）から離れて配置されていることを特徴とする請求項１から９のいずれかに記載の家具延出構造体。
【請求項１１】
本家具延出構造体（１１）の前記後壁（２）は、本家具延出構造体（１１）の側壁（４）の後縁部から離れるように前方にずれて配置されていることを特徴とする請求項１から１０のいずれかに記載の家具延出構造体。
【請求項１２】
取付部品（７）、好適にはプラスチック製の取付部品（７）が提供され、前記後壁（２）を、好適には工具を利用せずに、前記側壁（４）に、好適にはその後縁部に接続、及び／又は解放可能に接続していることを特徴とする請求項１から１１のいずれかに記載の家具延出構造体。
【請求項１３】
本家具延出構造体（１１）の前記後壁（２）は一体型であり、あるいは本家具延出構造体（１１）の前記後壁（２）は複数の後壁部分（２１、２２）を有しており、該後壁部分（２１、２２）はそれぞれ前記側壁（４）から前記側壁（４’）の方向に延びていることを特徴とする請求項１から１２のいずれかに記載の家具延出構造体。
【請求項１４】
家具駆動装置（１５）が本家具延出構造体（１１）の後壁（２）または後壁部分（２１、２２）の背後に配置可能であることを特徴とする請求項１から１４のいずれかに記載の家具延出構造体。
【請求項１５】
請求項１から１４のいずれかに記載の可動な家具延出構造体（１１）を含んでいることを特徴とする家具（１０）。
【発明の詳細な説明】
【技術分野】
【０００１】
本発明は家具のための可動家具延出構造体に関する。この可動家具延出構造体は、後壁と前方パネルとの間に配置された側壁と、後壁と前方パネルとの間に配置されたレールバーとを含んでいる。
【０００２】
本発明は可動家具延出構造体を含んだ家具にも関する。
【背景技術】
【０００３】
このような可動家具延出構造体は既に多数が知られている。それらにおいては、家具延出構造体の側壁は家具延出構造体の全高に亘っては延びていない。よって前方パネルは側壁によって部分的にのみ支持されている。このため、レールバーを取り付けて前方パネルの安定性を高めることが既に知られている。
【発明の概要】
【発明が解決しようとする課題】
【０００４】
本発明の目的は安定した可動家具延出構造体を提供することである。この目的は、レールバーを側壁の下方に設置した本発明の可動家具延出構造体によって達成される。
【０００５】
側壁の下方にレールバーを設置することで、側壁を家具延出構造体の上方領域に配置することが可能になり、同時に、レールバーを側壁の下方に配置することにより前方パネルの安定性が高まる。
【０００６】
特に、例えば、ごみ分別システムの場合のごとく、懸吊状態で取り出し可能な物品を保管する可動家具延出構造体の場合には、最も大きな作用力が集中する家具延出構造体の上方領域に安定性が提供されなければならない。いずれにしろ、前方パネルに安定性を提供するため、レールバーは側壁の下方に配置される。
【０００７】
本発明の他の有利な実施態様は従属請求項において記載されている。
【０００８】
もしレールバーが、前方パネルを傾斜させる調節装置を有していれば非常に有利である。調節装置は前方パネルを家具枠体上で配向調節させる。この配向調節は、特に、ガイドシステムの位置に許容誤差が存在し、その結果として、前方パネルが家具枠体から傾斜して離れるか、上方領域で家具枠体の方向に移動するか、あるいは家具枠体に衝突するようなときに必要である。
【０００９】
好適実施形態では、この調節装置はレールバーの有効長を変更するように設計されている。レールバーは一方が前方パネル内側の前部にて支持され、他方が後壁の後部にて支持されている。長さが変更可能なレールバーは前方パネルの傾斜に容易に影響を及ぼすことができる。
【００１０】
さらに好適には、家具は、家具延出構造体を移動させるレールシステムを有する。この場合、側壁は、少なくとも部分的に、好適には実質全体的にレールシステムの上方に配置される。レールシステムは、可動家具延出構造体の出し入れを便利で快適に行わせるオプションである。側壁をレールシステムの上方に配置することで、側壁はレールシステムで支持できるようになり、安定したシステムの提供に貢献する。
【００１１】
レールバーがレールシステムの下方に配置されると特に有利であることが証明されている。
【００１２】
特に好適には、家具延出構造体が受領装置、好適にはごみ分別用の保管システムのための受領装置を有する。好適には枠状である受領装置は、少なくとも部分的に、好適には実質全体的に、家具延出構造体の２側壁の上方、及び／又は、少なくとも部分的に両側壁間に配置される。この受領装置が側壁上方に取り付けられると、受領装置は容易にその場に懸吊される。あるいは受領装置を２側壁間に配置することによって、可動家具延出構造体のための安定したシステムが提供される。
【００１３】
この点で、家具延出構造体にごみ分別のための保管システムが提供されていることが特に好適であることが証明されている。この保管システムは受領装置に解放可能に、好適には工具を利用せずに、固定される。特にごみ分別システムは、中身を空にするために頻繁に取り外さなければならないため、ごみ分別システムを受領装置に解放可能に固定設置できると非常に好都合である。
【００１４】
好適実施態様では、保管システムが受領装置内に懸吊状態で設置され、家具延出構造体が引き出されると、受領容器を、ほぼ垂直方向に受領装置から取り外すことができる。垂直方向の取り外しは、ユーザによって容易に実行可能であり、実用的な作業手順が達成可能である。
【００１５】
好適には、家具延出構造体の後壁は、家具延出構造体の後端から離れて配置されている。前方パネルの方向に前方に向かってずれている後壁は、保管システムが家具延出構造体の後方領域に離れ過ぎて設置されることを防止でき、簡単な取り外しを可能にする。
【００１６】
好適には、家具延出構造体の後壁は、レールシステムの後端から、好適にはレールシステムの引出しレールから離れて配置されている。これによって、従来型のレールシステムが、このような家具延出構造体において使用可能になる。
【００１７】
さらに好適には、家具延出構造体の後壁は、家具延出構造体の側壁の後縁部から離れて前方にずれて配置される。このような構造により、従来型の側壁が、この家具延出構造体に取り付け可能になる。
【００１８】
可能な実施態様では、取付部品（好適にはプラスチック材料製）が利用され、後壁（好適には側壁の後縁部）を側壁に、好適には工具を利用せずに接続し、及び／又は解放可能に接続する。これで後壁が取付部品の手段によって側壁に容易に取り付け可能となり、同時に、これらの取付部品によって前方パネルに対する後壁の間隔が減少した状態で到達することが可能となる。
【００１９】
１好適実施態様では、家具延出構造体の後壁は一体的に提供される。あるいは家具延出構造体の後壁は複数の後壁部分を有する。これら後壁部分はそれぞれ一方の側壁から他方の側壁に延びている。後壁または後壁部分はそれぞれ全幅を延びるため、安定した構造を提供することができる。
【００２０】
望ましくは、家具駆動装置が家具延出構造体の後壁または後壁部分の背後に設置される。このような構造では、そのような家具延出構造体も駆動式とすることができる。
【００２１】
請求項１から請求項１４のいずれかに記載の可動家具延出構造体を含んだ家具も本発明に含まれる。
【００２２】
本発明のさらなる詳細および利点は、添付の図面に図示されている実施例を利用して以下でさらに詳細に説明されている。
【図面の簡単な説明】
【００２３】
【図１】図１は、家具延出構造体が引き出されている状態の家具の断面側面図である。
【図２】図２は、家具延出構造体が押し入れられている状態の家具の断面側面図である。
【図３】図３は、家具延出構造体の斜視図である。
【図４】図４は、受領装置を備えた家具延出構造体の斜視図である。
【図５】図５は、受領装置と保管システムとを備えた家具延出構造体の斜視図である。
【図６】図６は、保管システムを備え、引き出された状態の家具延出構造体の斜視図である。
【図７ａ】図７ａは、受領装置の斜視図である。
【図７ｂ】図７ｂは、後壁の斜視図である。
【図８】図８は、引き出された状態の家具延出構造体を備えた家具の斜視図である。
【図９】図９は、家具の後方斜視図である。
【００２４】
図１は、家具１０の断面側面図を示す。家具１０の上部には従来型の引出しが配置されている。引出しは、家具１０またはその家具枠体１７のレールシステム１２の引出しレール１６によって可動となっている。従来型のこの引出しは、レールバー１、両側壁４、後壁２および前方パネル３を備えている。この構造により、前方パネル３はレールバー１によって家具枠体１７に対する傾斜が変更可能である。
【００２５】
家具１０の下方領域には、引出しレール１６によってレールシステム１２に可動に配置された可動家具延出構造体１１が配置されている。この場合、家具延出構造体１１は側壁４、後壁２、前方パネル３およびレールバー１をも有している。この構造では、レールバー１が側壁の下方に配置されていることが従来技術とは異なる。これで、保管システム１３を受領しなければならない、上方領域に取り付けられた側壁４のための安定した家具延出構造体１１が提供される。
【００２６】
この場合、前方パネル３は側壁４の下方に延び、レールバー１の下方にも延びている。
【００２７】
図２は、家具１０の断面側面図である。可動家具延出構造体１１は引き入れられた位置に存在する。前方パネル３の傾斜は調節装置５で変更でき、レールバー１によって家具枠体１７に向けて配向されている。この場合、一方が前方パネル３の内側で支持され、他方が後壁２の後部で支持されているレールバー１の長さは、調節装置５によって変更される。
【００２８】
この場合、家具延出構造体１１の後壁２はレールシステム１２の後端から離れている。その結果、洗面台のための排水システム１８は家具１０の家具延出構造体１１の背後に配置され、家具延出構造体１１の自動移動のための家具駆動装置１５は、排水システム１８の後壁２の背後と前部に隙間を有する。
【００２９】
図３は、家具１０（図示せず）またはその家具枠体１７（図示せず）に従来通りに配置されている可動家具延出構造体１１を示す。この図は家具延出構造体１１の前方パネル３を図示していない。その前方パネル３は家具延出構造体１１上の固定装置１９によって側壁４、４’の端部に従来式に配置されている。家具延出構造体１１は、レールバー１と、レールバー１の上に設置され、前方パネル３と後壁２との間に配置されている調節装置とをさらに有している。レールバー１の有効長は調節装置５によって変更可能であり、前方パネル３は家具枠体１７上で傾斜すなわち配向が可能である。
【００３０】
この家具延出構造体１１はレールシステム１２上に配置され、レールシステム１２によって家具延出構造体１１は家具１０から、または家具枠体１７から水平方向に引き出しが可能である。
【００３１】
側壁４、４’は、懸吊保管システム１３を受領することを意図しているので、この家具延出構造体１１の上方領域に配置されている。このため、高レベルの安定性が望ましく、特に家具延出構造体１１の上方領域で高い安定性が望まれる。このような家具延出構造体１１の安定性を増強するため、レールバー１は側壁４、４’の下側に配置される。この場合、レールバー１は調節装置５によって有効長が変更できる。この場合、レールバー１は一方が前方パネル３の内側で前部において支持され、他方が後壁２の後部において支持される。レールバー１の長さの変更は前方パネル３の傾斜を導き、前方パネル３は家具枠体１７の前方側に平行に設置される。
【００３２】
この実施例では、側壁４、４’はレールシステム１２の略上方に配置され、従来型のレールシステム１２と引出しレール１６（図示せず）とが、この特定の家具延出構造体１１のために利用できる。一方、レールバー１はレールシステム１２の下側に配置され、レールシステム１２の上方での側壁４、４’の配置、およびレールシステム１２の下方におけるレールバー１の配置によって、家具延出構造体１１のための非常に安定した構造が提供される。
【００３３】
この場合、家具延出構造体１１の後壁２は、家具延出構造体１１の後端とは離れている。よって、例えば排水システム１８（図示せず）は後壁２の背後に延びることができ、この構造で、家具延出構造体１１を家具枠体１７内に完全移動させることができる。
【００３４】
この場合、家具延出構造体１１の後壁２もレールシステム１２の後端またはレールシステム１２の引出しレール１６から離れており、従来型のレールシステムが利用できる効果を提供する。いずれにしろ、家具枠体１７の後側に対して後壁２の間隔が提供される。
【００３５】
同様に、家具延出構造体１１の後壁２は、家具延出構造体１１の側壁４、４’の後縁からも前方にずれることで離れて配置でき、その結果、従来型の側壁４、４’も利用可能になる。
【００３６】
この構造で、取付部品７、７’が使用され、側壁４、４’の後縁と離れた状態で後壁２を配置する。この実施例では、これら取付部品７、７’はプラスチック製あるいは金属製でよく、工具を利用せずに後壁２または側壁４、４’にそれぞれ配置できる。
【００３７】
この実施例では、後壁２は一体型であり、家具駆動装置１５（図示せず）が後壁２の下方領域の背後に隙間を有することができる。もし製造技術において利点が提供されるなら、この後壁２も同様に複数の後壁部分２１、２２を含むことができる。ここでは後壁２は一体型であり、上方領域で側壁４から第２側壁４’に障害なく延び、下方領域でレールバー１から第２レールバー１に延びている。構造全体の安定性はこの無障害接続によって増加する。
【００３８】
図４は、図３に関して説明されたごとき家具延出構造体１１を示す。枠形状である受領装置６は工具を利用せずに取り付けられている。
【００３９】
図５で示すように、受領装置６は保管システム１３を受領するものである。この場合、保管システム１３は、受領装置６から工具なして上方に取り外せる４つの保管容器１４を有している。このことは、完全に引き出された家具延出構造体１１においても同様に可能である（図８参照）。
【００４０】
図６は図５に関して上記したごときの家具延出構造体１１を示す。この場合、家具延出構造体１１は別な最大位置である完全引き出し状態にある。この位置にて、家具延出構造体１１をモータ駆動水平移動させる家具駆動装置１５が図示されている。
【００４１】
図７ａは、好適には一体的に製造され、保管システム１３（図示せず）（図５と図８参照）の保管容器１４（図示せず）を懸吊状態で受領する枠形状受領装置６を図示する。
【００４２】
図７ｂは、左右に２つの取付部材７、７’が配置されている後壁２を示す。取付部材７、７’によって後壁２は工具なしで側壁４、４’（図示せず）（図３参照）に解放可能に接続できる。後壁２の下方領域にはレールバー１（図示せず）が配置されている。この実施例では、後壁２は一体的であり、Ｚ形状断面である部材２０を有する。後壁２を複数の後壁部分２１、２２で製造することも可能であることは理解されよう。
【００４３】
図８は、家具枠体１７と家具延出構造体１１とを有した家具１０を図示する。家具延出構造体１１は、保管容器１４を有した保管システム１３を受領する受領装置６を有する。家具延出構造体１１が引き出されると、保管容器１４は受領装置６からほぼ垂直に取り出し可能になる。側壁４、４’の下方に設置されたレールバー１（レールバー１のみが図示）は、家具延出構造体１１の安定性を高め、前方パネル３が調節装置５（１つの調節装置のみ図示）によって傾斜できるようにしており、前方パネル３は家具枠体１７に対して配向可能となる。
【００４４】
図９は、家具延出構造体１１を備えた家具１０の斜視図である。家具延出絵構造体１１は家具枠体１７内に完全に引き込まれた状態である。後壁２はレールシステム１２の後端、または側壁４、４’（側壁４は非図示）の後端から離れているため、排水システム１８、等々は家具延出構造体１１の背後で延出することができる。後壁２と、レールシステム１２または側壁４、４’との隙間は取付部品７、７’（取付部品７は非図示）によって提供される。
【００４５】
以上、本発明をいくつかの実施例によって詳細に説明したが、本発明はそれら実施例には限定されない。本発明を実施させる他の特徴並びにその改良はもちろん可能であり、望ましい。
【図１】
2013518628.tif 000003
【図２】
2013518628.tif 000004
【図３】
2013518628.tif 000005
【図４】
2013518628.tif 000006
【図５】
2013518628.tif 000007
【図６】
2013518628.tif 000008
【図７ａ】
2013518628.tif 000009
【図７ｂ】
2013518628.tif 000010
【図８】
2013518628.tif 000011
【図９】
2013518628.tif 000012
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
家具（１０）のための可動な家具延出構造体（１１）であって、後壁（４）と前方パネル（３）との間に配置された側壁（４）と、該側壁（４）と前記前方パネル（３）との間に配置されたレールバー（１）と、本家具延出構造体（１１）の移動のためのレールシステム（１２）とを含んでおり、該レールバー（１）が前記側壁（４）および前記レールシステム（１２）の下方に配置されていることを特徴とする家具延出構造体。
【請求項２】
前記レールバー（１）は調節装置（５）を有しており、該調節装置（５）によって前記前方パネル（３）は傾斜できることを特徴とする請求項１記載の家具延出構造体。
【請求項３】
前記調節装置（５）は前記レールバー（１）の有効長を変更するように構成されており、該レールバー（１）は一方が前記前方パネル（３）の内側の前部で支持され、他方が前記後壁（２）の後部で支持されていることを特徴とする請求項２記載の家具延出構造体。
【請求項４】
前記側壁（４）は、前記レールシステム（１２）の上方の少なくとも一部に、好適には略全面的に配置されていることを特徴とする請求項１から３のいずれかに記載の家具延出構造体。
【請求項５】
本家具延出構造体（１１）は、好適にはごみ分別用の保管システム（１３）のための受領装置（６）を有しており、好適には枠形状である該受領装置（６）は、少なくとも部分的に、好適には略全面的に本家具延出装置（１１）の２つの側壁（４、４’）の上方、及び／又は少なくとも部分的にそれら側壁（４、４’）の間に配置されていることを特徴とする請求項１から４のいずれかに記載の家具延出構造体。
【請求項６】
本家具延出構造体（１１）はごみ分別用の保管システム（１３）を有しており、該保管システム（１３）は前記受領装置（６）に、好適には工具を利用せずに解放可能に固定できることを特徴とする請求項５記載の家具延出構造体。
【請求項７】
前記保管システム（１３）は前記受領装置（６）内に懸吊状態で設置されており、本家具延出構造体（１１）が引き出されたときには、保管容器（１４）は前記受領装置（６）から略垂直方向に引き抜き可能となることを特徴とする請求項５または６記載の家具延出構造体。
【請求項８】
本家具延出構造体（１１）の前記後壁（２）は、本家具延出構造体（１１）の後端から離れて配置されていることを特徴とする請求項１から７のいずれかに記載の家具延出構造体。
【請求項９】
本家具延出構造体（１１）の前記後壁（２）は、本家具延出構造体（１１）の後端から、好適には前記レールシステム（１２）の引出しレール（１６）から離れて配置されていることを特徴とする請求項１から８のいずれかに記載の家具延出構造体。
【請求項１０】
本家具延出構造体（１１）の前記後壁（２）は、本家具延出構造体（１１）の側壁（４）の後縁部から離れるように前方にずれて配置されていることを特徴とする請求項１から９のいずれかに記載の家具延出構造体。
【請求項１１】
取付部品（７）、好適にはプラスチック製の取付部品（７）が提供され、前記後壁（２）を、好適には工具を利用せずに、前記側壁（４）に、好適にはその後縁部に接続、及び／又は解放可能に接続していることを特徴とする請求項１から１０のいずれかに記載の家具延出構造体。
【請求項１２】
本家具延出構造体（１１）の前記後壁（２）は一体型であり、あるいは本家具延出構造体（１１）の前記後壁（２）は複数の後壁部分（２１、２２）を有しており、該後壁部分（２１、２２）はそれぞれ前記側壁（４）から前記側壁（４’）の方向に延びていることを特徴とする請求項１から１１のいずれかに記載の家具延出構造体。
【請求項１３】
家具駆動装置（１５）が本家具延出構造体（１１）の後壁（２）または後壁部分（２１、２２）の背後に配置可能であることを特徴とする請求項１から１２のいずれかに記載の家具延出構造体。
【請求項１４】
請求項１から１３のいずれかに記載の可動な家具延出構造体（１１）を含んでいることを特徴とする家具（１０）。
【手続補正２】
【補正対象書類名】明細書
【補正対象項目名】全文
【補正方法】変更
【補正の内容】
【書類名】明細書
【発明の名称】家具引出構造
【技術分野】
【０００１】
本発明は家具のための可動家具延出構造体に関する。この可動家具延出構造体は、後壁と前方パネルとの間に配置された側壁と、後壁と前方パネルとの間に配置されたレールバーとを含んでいる。
【０００２】
本発明は可動家具延出構造体を含んだ家具にも関する。
【背景技術】
【０００３】
このような可動家具延出構造体は既に多数が知られている。それらにおいては、家具延出構造体の側壁は家具延出構造体の全高に亘っては延びていない。よって前方パネルは側壁によって部分的にのみ支持されている。このため、レールバーを取り付けて前方パネルの安定性を高めることが既に知られている。
【発明の概要】
【発明が解決しようとする課題】
【０００４】
本発明の目的は安定した可動家具延出構造体を提供することである。この目的は、レールバーを側壁およびレールシステムの下方に設置した本発明の可動家具延出構造体によって達成される。
【０００５】
側壁の下方にレールバーを設置することで、側壁を家具延出構造体の上方領域に配置することが可能になり、同時に、レールバーを側壁の下方に配置することにより前方パネルの安定性が高まる。
【０００６】
特に、例えば、ごみ分別システムの場合のごとく、懸吊状態で取り出し可能な物品を保管する可動家具延出構造体の場合には、最も大きな作用力が集中する家具延出構造体の上方領域に安定性が提供されなければならない。いずれにしろ、前方パネルに安定性を提供するため、レールバーは側壁の下方に配置される。
【０００７】
本発明の他の有利な実施態様は従属請求項において記載されている。
【０００８】
もしレールバーが、前方パネルを傾斜させる調節装置を有していれば非常に有利である。調節装置は前方パネルを家具枠体上で配向調節させる。この配向調節は、特に、ガイドシステムの位置に許容誤差が存在し、その結果として、前方パネルが家具枠体から傾斜して離れるか、上方領域で家具枠体の方向に移動するか、あるいは家具枠体に衝突するようなときに必要である。
【０００９】
好適実施形態では、この調節装置はレールバーの有効長を変更するように設計されている。レールバーは一方が前方パネル内側の前部にて支持され、他方が後壁の後部にて支持されている。長さが変更可能なレールバーは前方パネルの傾斜に容易に影響を及ぼすことができる。
【００１０】
さらに好適には、側壁は、少なくとも部分的に、好適には実質全体的にレールシステムの上方に配置される。レールシステムは、可動家具延出構造体の出し入れを便利で快適に行わせるオプションである。側壁をレールシステムの上方に配置することで、側壁はレールシステムで支持できるようになり、安定したシステムの提供に貢献する。
【００１１】
（削除）
【００１２】
特に好適には、家具延出構造体が受領装置、好適にはごみ分別用の保管システムのための受領装置を有する。好適には枠状である受領装置は、少なくとも部分的に、好適には実質全体的に、家具延出構造体の２側壁の上方、及び／又は、少なくとも部分的に両側壁間に配置される。この受領装置が側壁上方に取り付けられると、受領装置は容易にその場に懸吊される。あるいは受領装置を２側壁間に配置することによって、可動家具延出構造体のための安定したシステムが提供される。
【００１３】
この点で、家具延出構造体にごみ分別のための保管システムが提供されていることが特に好適であることが証明されている。この保管システムは受領装置に解放可能に、好適には工具を利用せずに、固定される。特にごみ分別システムは、中身を空にするために頻繁に取り外さなければならないため、ごみ分別システムを受領装置に解放可能に固定設置できると非常に好都合である。
【００１４】
好適実施態様では、保管システムが受領装置内に懸吊状態で設置され、家具延出構造体が引き出されると、受領容器を、ほぼ垂直方向に受領装置から取り外すことができる。垂直方向の取り外しは、ユーザによって容易に実行可能であり、実用的な作業手順が達成可能である。
【００１５】
好適には、家具延出構造体の後壁は、家具延出構造体の後端から離れて配置されている。前方パネルの方向に前方に向かってずれている後壁は、保管システムが家具延出構造体の後方領域に離れ過ぎて設置されることを防止でき、簡単な取り外しを可能にする。
【００１６】
好適には、家具延出構造体の後壁は、レールシステムの後端から、好適にはレールシステムの引出しレールから離れて配置されている。これによって、従来型のレールシステムが、このような家具延出構造体において使用可能になる。
【００１７】
さらに好適には、家具延出構造体の後壁は、家具延出構造体の側壁の後縁部から離れて前方にずれて配置される。このような構造により、従来型の側壁が、この家具延出構造体に取り付け可能になる。
【００１８】
可能な実施態様では、取付部品（好適にはプラスチック材料製）が利用され、後壁（好適には側壁の後縁部）を側壁に、好適には工具を利用せずに接続し、及び／又は解放可能に接続する。これで後壁が取付部品の手段によって側壁に容易に取り付け可能となり、同時に、これらの取付部品によって前方パネルに対する後壁の間隔が減少した状態で到達することが可能となる。
【００１９】
１好適実施態様では、家具延出構造体の後壁は一体的に提供される。あるいは家具延出構造体の後壁は複数の後壁部分を有する。これら後壁部分はそれぞれ一方の側壁から他方の側壁に延びている。後壁または後壁部分はそれぞれ全幅を延びるため、安定した構造を提供することができる。
【００２０】
望ましくは、家具駆動装置が家具延出構造体の後壁または後壁部分の背後に設置される。このような構造では、そのような家具延出構造体も駆動式とすることができる。
【００２１】
説明されている実施例の可動家具延出構造体を含んだ家具も本発明に含まれる。
【００２２】
本発明のさらなる詳細および利点は、添付の図面に図示されている実施例を利用して以下でさらに詳細に説明されている。
【００２３】
【図面の簡単な説明】
【図１】図１は、家具延出構造体が引き出されている状態の家具の断面側面図である。
【図２】図２は、家具延出構造体が押し入れられている状態の家具の断面側面図である。
【図３】図３は、家具延出構造体の斜視図である。
【図４】図４は、受領装置を備えた家具延出構造体の斜視図である。
【図５】図５は、受領装置と保管システムとを備えた家具延出構造体の斜視図である。
【図６】図６は、保管システムを備え、引き出された状態の家具延出構造体の斜視図である。
【図７ａ】図７ａは、受領装置の斜視図である。
【図７ｂ】図７ｂは、後壁の斜視図である。
【図８】図８は、引き出された状態の家具延出構造体を備えた家具の斜視図である。
【図９】図９は、家具の後方斜視図である。
【００２４】
図１は、家具１０の断面側面図を示す。家具１０の上部には従来型の引出しが配置されている。引出しは、家具１０またはその家具枠体１７のレールシステム１２の引出しレール１６によって可動となっている。従来型のこの引出しは、レールバー１、両側壁４、後壁２および前方パネル３を備えている。この構造により、前方パネル３はレールバー１によって家具枠体１７に対する傾斜が変更可能である。
【００２５】
家具１０の下方領域には、引出しレール１６によってレールシステム１２に可動に配置された可動家具延出構造体１１が配置されている。この場合、家具延出構造体１１は側壁４、後壁２、前方パネル３およびレールバー１をも有している。この構造では、レールバー１が側壁の下方に配置されていることが従来技術とは異なる。これで、保管システム１３を受領しなければならない、上方領域に取り付けられた側壁４のための安定した家具延出構造体１１が提供される。
【００２６】
この場合、前方パネル３は側壁４の下方に延び、レールバー１の下方にも延びている。
【００２７】
図２は、家具１０の断面側面図である。可動家具延出構造体１１は引き入れられた位置に存在する。前方パネル３の傾斜は調節装置５で変更でき、レールバー１によって家具枠体１７に向けて配向されている。この場合、一方が前方パネル３の内側で支持され、他方が後壁２の後部で支持されているレールバー１の長さは、調節装置５によって変更される。
【００２８】
この場合、家具延出構造体１１の後壁２はレールシステム１２の後端から離れている。その結果、洗面台のための排水システム１８は家具１０の家具延出構造体１１の背後に配置され、家具延出構造体１１の自動移動のための家具駆動装置１５は、排水システム１８の後壁２の背後と前部に隙間を有する。
【００２９】
図３は、家具１０（図示せず）またはその家具枠体１７（図示せず）に従来通りに配置されている可動家具延出構造体１１を示す。この図は家具延出構造体１１の前方パネル３を図示していない。その前方パネル３は家具延出構造体１１上の固定装置１９によって側壁４、４’の端部に従来式に配置されている。家具延出構造体１１は、レールバー１と、レールバー１の上に設置され、前方パネル３と後壁２との間に配置されている調節装置とをさらに有している。レールバー１の有効長は調節装置５によって変更可能であり、前方パネル３は家具枠体１７上で傾斜すなわち配向が可能である。
【００３０】
この家具延出構造体１１はレールシステム１２上に配置され、レールシステム１２によって家具延出構造体１１は家具１０から、または家具枠体１７から水平方向に引き出しが可能である。
【００３１】
側壁４、４’は、懸吊保管システム１３を受領することを意図しているので、この家具延出構造体１１の上方領域に配置されている。このため、高レベルの安定性が望ましく、特に家具延出構造体１１の上方領域で高い安定性が望まれる。このような家具延出構造体１１の安定性を増強するため、レールバー１は側壁４、４’の下側に配置される。この場合、レールバー１は調節装置５によって有効長が変更できる。この場合、レールバー１は一方が前方パネル３の内側で前部において支持され、他方が後壁２の後部において支持される。レールバー１の長さの変更は前方パネル３の傾斜を導き、前方パネル３は家具枠体１７の前方側に平行に設置される。
【００３２】
この実施例では、側壁４、４’はレールシステム１２の略上方に配置され、従来型のレールシステム１２と引出しレール１６（図示せず）とが、この特定の家具延出構造体１１のために利用できる。一方、レールバー１はレールシステム１２の下側に配置され、レールシステム１２の上方での側壁４、４’の配置、およびレールシステム１２の下方におけるレールバー１の配置によって、家具延出構造体１１のための非常に安定した構造が提供される。
【００３３】
この場合、家具延出構造体１１の後壁２は、家具延出構造体１１の後端とは離れている。よって、例えば排水システム１８（図示せず）は後壁２の背後に延びることができ、この構造で、家具延出構造体１１を家具枠体１７内に完全移動させることができる。
【００３４】
この場合、家具延出構造体１１の後壁２もレールシステム１２の後端またはレールシステム１２の引出しレール１６から離れており、従来型のレールシステムが利用できる効果を提供する。いずれにしろ、家具枠体１７の後側に対して後壁２の間隔が提供される。
【００３５】
同様に、家具延出構造体１１の後壁２は、家具延出構造体１１の側壁４、４’の後縁からも前方にずれることで離れて配置でき、その結果、従来型の側壁４、４’も利用可能になる。
【００３６】
この構造で、取付部品７、７’が使用され、側壁４、４’の後縁と離れた状態で後壁２を配置する。この実施例では、これら取付部品７、７’はプラスチック製あるいは金属製でよく、工具を利用せずに後壁２または側壁４、４’にそれぞれ配置できる。
【００３７】
この実施例では、後壁２は一体型であり、家具駆動装置１５（図示せず）が後壁２の下方領域の背後に隙間を有することができる。もし製造技術において利点が提供されるなら、この後壁２も同様に複数の後壁部分２１、２２を含むことができる。ここでは後壁２は一体型であり、上方領域で側壁４から第２側壁４’に障害なく延び、下方領域でレールバー１から第２レールバー１に延びている。構造全体の安定性はこの無障害接続によって増加する。
【００３８】
図４は、図３に関して説明されたごとき家具延出構造体１１を示す。枠形状である受領装置６は工具を利用せずに取り付けられている。
【００３９】
図５で示すように、受領装置６は保管システム１３を受領するものである。この場合、保管システム１３は、受領装置６から工具なして上方に取り外せる４つの保管容器１４を有している。このことは、完全に引き出された家具延出構造体１１においても同様に可能である（図８参照）。
【００４０】
図６は図５に関して上記したごときの家具延出構造体１１を示す。この場合、家具延出構造体１１は別な最大位置である完全引き出し状態にある。この位置にて、家具延出構造体１１をモータ駆動水平移動させる家具駆動装置１５が図示されている。
【００４１】
図７ａは、好適には一体的に製造され、保管システム１３（図示せず）（図５と図８参照）の保管容器１４（図示せず）を懸吊状態で受領する枠形状受領装置６を図示する。
【００４２】
図７ｂは、左右に２つの取付部材７、７’が配置されている後壁２を示す。取付部材７、７’によって後壁２は工具なしで側壁４、４’（図示せず）（図３参照）に解放可能に接続できる。後壁２の下方領域にはレールバー１（図示せず）が配置されている。この実施例では、後壁２は一体的であり、Ｚ形状断面である部材２０を有する。後壁２を複数の後壁部分２１、２２で製造することも可能であることは理解されよう。
【００４３】
図８は、家具枠体１７と家具延出構造体１１とを有した家具１０を図示する。家具延出構造体１１は、保管容器１４を有した保管システム１３を受領する受領装置６を有する。家具延出構造体１１が引き出されると、保管容器１４は受領装置６からほぼ垂直に取り出し可能になる。側壁４、４’の下方に設置されたレールバー１（レールバー１のみが図示）は、家具延出構造体１１の安定性を高め、前方パネル３が調節装置５（１つの調節装置のみ図示）によって傾斜できるようにしており、前方パネル３は家具枠体１７に対して配向可能となる。
【００４４】
図９は、家具延出構造体１１を備えた家具１０の斜視図である。家具延出絵構造体１１は家具枠体１７内に完全に引き込まれた状態である。後壁２はレールシステム１２の後端、または側壁４、４’（側壁４は非図示）の後端から離れているため、排水システム１８、等々は家具延出構造体１１の背後で延出することができる。後壁２と、レールシステム１２または側壁４、４’との隙間は取付部品７、７’（取付部品７は非図示）によって提供される。
【００４５】
以上、本発明をいくつかの実施例によって詳細に説明したが、本発明はそれら実施例には限定されない。本発明を実施させる他の特徴並びにその改良はもちろん可能であり、望ましい。
【国際調査報告】
2013518628.tif 000013
2013518628.tif 000014
2013518628.tif 000015
2013518628.tif 000016
2013518628.tif 000017
2013518628.tif 000018